(57)【要約】【課題】    最少の設置占有面積で自立可能にすることで、ミラー本体とミラースタンドとの連続一体性を確保して、当該部分の美感を高めた自立・可搬式姿見ミラーの提供である。【解決手段】  比重が０．２以下であって、ボード１１の前面に鏡面フィルム１２が全方向に張力を付与された状態で配置されたミラー本体Ｍ0 と、比重が５以上の材質で成形され、前記ミラー本体Ｍ0 の幅に対応した長さの中実構造のスタンド基台１の長手方向の両端部に、当該ミラー本体Ｍ0 の下端部を嵌着させる一対の嵌着支持体２が起立姿勢で対向して一体に設けられ、当該スタンド基台１の下面に、当該スタンド基台１よりも幅広の安定支持板３が一体に設けられたミラースタンドＳとから成り、当該ミラースタンドＳと前記ミラー本体Ｍ0 の重量差により全体の重心Ｇｍを低くした構成とする。【選択図】  図１
2020089619.tif 000002
【特許請求の範囲】
【請求項１】
縦長の長方形板状のミラー本体と、配置位置を変更させて当該ミラー本体を自立させるためのミラースタンドとから成る自立・可搬式姿見ミラーであって、
前記ミラー本体は、比重が０．２以下であって、ボードの前面に鏡面フィルムが全方向に張力を付与された状態で配置された構成であり、
前記ミラースタンドは、比重が５以上の材質で成形され、前記ミラー本体の幅に対応した長さの中実構造のスタンド基台の長手方向の両端部に、当該ミラー本体の下端部を嵌着させる一対の嵌着支持体が起立姿勢で対向して一体に設けられ、当該スタンド基台の下面に、当該スタンド基台よりも幅広の安定支持板が一体に設けられ、
前記ミラースタンドの一対の嵌着支持体に、前記ミラー本体の下端部を嵌着させて、当該ミラースタンドと前記ミラー本体の重量差により全体の重心を低くすることで、当該ミラー本体を自立させる構成であることを特徴とする自立・可搬式姿見ミラー。
【請求項２】
前記ミラースタンドと前記ミラー本体の重量比は、２．５以上であることを特徴とする請求項１に記載の自立・可搬式姿見ミラー。
【請求項３】
前記ミラースタンドのスタンド基台の幅は、前記ミラー本体の幅に対応していることを特徴とする請求項１又は２に記載の自立・可搬式姿見ミラー。
【請求項４】
前記ミラースタンドの各嵌着支持体は、横断面がコの字形であることを特徴とする請求項１ないし３のいずれかに記載の自立・可搬式姿見ミラー。
【請求項５】
前記ミラースタンドのスタンド基台と安定支持板とは、当該スタンド基台の裏面で一体に溶接され、当該ミラースタンドは、前記安定支持板の裏面を含めて全体が化粧塗装されていることを特徴とする請求項１ないし４のいずれかに記載の自立・可搬式姿見ミラー。
【発明の詳細な説明】
【技術分野】
【０００１】
本発明は、家庭、結婚式場、催事場等において、人の全身を写すのに使用される自立・可搬式の姿見ミラーに関するものである。
【背景技術】
【０００２】
自立・可搬式姿見ミラー（以下、単に「姿見ミラー」と略すこともある）に関しては、種々の特許又は実用新案登録の出願がなされているが、共通の自立構造として、例えば、特許文献１に示されるように、ミラースタンドに、ミラー本体の転倒防止のための左右一対の脚体を、当該ミラー本体に対して前後方向に配置する構成である。このため、一対の脚体の長さは、ミラー本体の高さに対して相当に長くする必要があって、全体の美感が重要視される姿見ミラーとしては、前後方向の長さの長い一対の脚体の存在が、当該姿見ミラーを不格好にしている。
【０００３】
また、上記の自立構造では、ミラースタンドに設けられる左右一対の脚体で囲まれる方形状の部分が、自立型姿見ミラーの実質的な設置占有面積となるため、ミラー本体の前後の部分が大きく占有されて、自由な歩行が阻害されると共に、歩行時に、当該脚体に引っ掛かって、転倒の恐れもある。
【０００４】
また、ミラー本体の転倒防止の機能を重視するために、ミラー本体の幅方向の両端部に前後方向に大きく延設された当該一対の脚体により、姿見ミラーに対応する品格が求められる部屋の美観も損なわれる。
【０００５】
更に、一対の脚体の前後方向の寸法が大きい（長い）ために、姿見ミラーを壁に近接させて設置することもできない。
【先行技術文献】
【特許文献】
【０００６】
【特許文献１】特開２００７−１９０４３７号公報
【発明の概要】
【発明が解決しようとする課題】
【０００７】
本発明は、ミラースタンドの改良により、前後方向への突出部材をなくして、最少の設置占有面積で自立可能にすることで、ミラー本体とミラースタンドとの連続一体性を確保して、当該部分の美感を高めた自立・可搬式姿見ミラーの提供を課題としている。
【課題を解決するための手段】
【０００８】
上記課題を解決するための請求項１の発明は、縦長の長方形板状のミラー本体と、配置位置を変更させて当該ミラー本体を自立させるためのミラースタンドとから成る自立・可搬式姿見ミラーであって、
前記ミラー本体は、比重が０．２以下であって、ボードの前面に鏡面フィルムが全方向に張力を付与された状態で配置された構成であり、
前記ミラースタンドは、比重が５以上の材質で成形され、前記ミラー本体の幅に対応した長さの中実構造のスタンド基台の長手方向の両端部に、当該ミラー本体の下端部を嵌着させる一対の嵌着支持体が起立姿勢で対向して一体に設けられ、当該スタンド基台の下面に、当該スタンド基台よりも幅広の安定支持板が一体に設けられ、
前記ミラースタンドの一対の嵌着支持体に、前記ミラー本体の下端部を嵌着させて、当該ミラースタンドと前記ミラー本体の重量差により全体の重心を低くすることで、当該ミラー本体を自立させる構成であることを特徴としている。
【０００９】
請求項１の発明によれば、ミラースタンドのスタンド基台の長手方向の両端部に起立姿勢で対向して一体に設けられた一対の嵌着支持体に、ミラー本体の下端部を嵌着させることで、ミラースタンドに対してミラー本体が一体となって支持される。ここで、縦長の長方形板状のミラー本体は、比重が０．２以下であって、ボードの前面に鏡面フィルムが全方向に張力を付与された状態で配置された構成であるため、比重が５以上の材質で成形されて、中実構造のスタンド基台を有するミラースタンドに比較して、遥かに軽量にすることが可能である。これにより、ミラースタンド全体の重心位置を、縦長の長方形板状のミラー本体の高さ方向の中央位置に対して遥かに下方の当該ミラースタンドの嵌着支持体に近い部分に配置することが可能となるのに加えて、中実構造のスタンド基台の下面には、姿見ミラーの全体の自立安定性を高めるために、当該スタンド基台よりも幅広の安定支持板が一体に設けられているため、当該姿見ミラーは、自立可能となって、使用者が望む家庭の部屋、結婚式場、催事場の任意の部分に移動させて設置可能となる。
【００１０】
ここで、請求項１の発明は、ミラー本体の比重が０．２以下であって、しかもミラースタンドの比重が５以上の材質で構成されていることが必要であるが、ミラー本体の比重が０．２以上であるか、或いはミラースタンドの比重が５以下の材質で構成されている場合には、姿見ミラーの全体としての重心を低い位置に配置させられないので、姿見ミラーとしての自立安定性を確保できず、自立・可搬式の姿見ミラーとしての機能を果し得ない。
【００１１】
また、形状的には、ミラー本体の下端に、ミラースタンドのスタンド基台が接続して配置され、更に、当該スタンド基台の下面には、設置面に密着する平板状の安定支持板が一体に設けられていて、当該安定支持板を薄板状にすることで、当該安定支持板は、殆ど認識されなくなる。よって、正面視において、ミラー本体とミラースタンドのスタンド基台との連続一体性が高められる結果、ミラースタンド自体の認識が低下され、姿見ミラーの下端部であるミラー本体の下端部とスタンド基台との部分の美感が高められる。このように、ミラースタンドを殆ど認識することなく、ミラー本体を自立させられるので、姿見ミラーとしての「おしゃれ感」が高められる。
【００１２】
また、請求項１の発明に係る姿見ミラーは、比重０．２以下のミラー本体に対して、比重５以上の材質で成形される中実構造のスタンド基台の大きな重量により、縦長の長方形板状のミラー本体の重心位置を下方に大きく下げることで、自立の安定性を高めているので、当該スタンド基台の下面に一体に設けられる安定支持板の幅（姿見ミラーの前後方向の寸法）は、スタンド基台の幅よりも広いことは、当然であるが、それ程広くしなくても、姿見ミラーの自立は可能である。よって、図１に示されるように、壁面Ｋに対して近接した状態で、姿見ミラーを自立させることも可能である。
【００１３】
なお、請求項１の発明に係る姿見ミラーは、自立状態において、外力が加わらない限り、倒れることはないが、仮に、倒れたとしても、ミラー本体は、比重０．２以下のボードの前面に鏡面フィルムが配置された構成であるため、自身が破損されたり、人体を損傷させる恐れはなく、安全である。
【００１４】
請求項２の発明は、請求項１の発明において、前記ミラースタンドと前記ミラー本体の重量比は、２．５以上であることを特徴としている。
【００１５】
請求項２の発明によれば、姿見ミラーの重心位置を、ミラー本体自体の重心位置に対して、当該ミラー本体自体の高さの３割以上、下方に下げることができ、姿見ミラーの自立の安定性が高められる。
【００１６】
請求項３の発明は、請求項１又は２の発明において、前記ミラースタンドのスタンド基台の幅は、前記ミラー本体の幅に対応していることを特徴としている。
【００１７】
請求項３の発明によれば、正面視のみならず、側面視においても、ミラー本体とミラースタンドとの連続一体性が高められて、姿見ミラーの下端部の美観が一層に高められる。
【００１８】
請求項４の発明は、請求項１ないし３のいずれかの発明において、前記ミラースタンドの各嵌着支持体は、横断面がコの字形であることを特徴としている。
【００１９】
請求項４の発明によれば、ミラースタンドの各嵌着支持体の横断面がコの字形であるため、縦長の長方形板状のミラー本体の下端部を各嵌着支持体に挿入支持させることで、約２ｍの高さのミラー本体を安定して支持できる。
【００２０】
請求項５の発明は、請求項１ないし４のいずれかの発明において、前記ミラースタンドのスタンド基台と安定支持板とは、当該スタンド基台の裏面で一体に溶接され、当該ミラースタンドは、前記安定支持板の裏面を含めて全体が化粧塗装されていることを特徴としている。
【００２１】
請求項５の発明によれば、スタンド基台と安定支持板との溶接箇所が外観に現れないと共に、安定支持板の裏面を含めて全体が、前記ミラー本体の色彩と同一又は近似した色彩で化粧塗装されているため、色彩面においても、ミラー本体とミラースタンドとの連続一体性が高められる。
【発明の効果】
【００２２】
本発明は、比重が０．２以下の縦長の長方形板状のミラー本体の下端部が、比重が５以上の材質で成形されたミラースタンドの一対の嵌着支持体に嵌着支持されているため、ミラースタンド全体の重心位置を、縦長の長方形板状のミラー本体の高さ方向の中央位置に対して遥かに下方の当該ミラースタンドの嵌着支持体に近い部分に配置することが可能となるのに加えて、中実構造のスタンド基台の下面には、姿見ミラーの全体の自立安定性を高めるために、当該スタンド基台よりも幅広の安定支持板が一体に設けられているため、当該姿見ミラーは、自立可能となって、使用者が望む家庭の部屋、結婚式場、催事場の任意の部分に移動させて設置可能となる。
【図面の簡単な説明】
【００２３】
【図１】本発明に係る姿見ミラーＭの使用状態の斜視図である。
【図２】本発明に係る姿見ミラーＭを構成するミラー本体Ｍ0 とミラースタンドＳとの分解斜視図である。
【図３】（ａ）は、本発明に係る姿見ミラーＭの使用状態の部分正面図であり、（ｂ）は、同様の平面図である。
【図４】本発明に係る姿見ミラーＭの使用状態の部分側面図である。
【図５】ミラー本体Ｍ0 の模式的横断面図である。
【図６】ミラースタンドＳの斜視図である。
【図７】（ａ）〜（ｄ）は、それぞれミラースタンドＳの平面図、正面図、底面図及び右側面図である。
【図８】（ａ），（ｂ）は、それぞれミラースタンドＳの正面断面図及び側面断面図である。
【図９】（ａ），（ｂ）は、スタンド基台１と安定支持板３との溶接固定の前後の部分断面図である。
【図１０】姿見ミラーＭの重心Ｇｍの位置を求める模式図である。
【発明を実施するための形態】
【００２４】
最初に、図１〜図４を参照して、本発明に係る姿見ミラーＭについて説明する。当該姿見ミラーＭは、縦長の長方形板状のミラー本体Ｍ0 と、当該ミラー本体Ｍ0 を起立支持させるためのミラースタンドＳとから成り、本発明は、当該ミラースタンドＳの構造及び材質に特徴を有する。
【００２５】
ミラー本体Ｍ0 は、図１〜図５に示されるように、硬質ウレタン等の軽量樹脂から成るボード１１の前面に、市販の鏡面フィルム１２が全方向に張力を付与された状態で配置されて、計４つの各辺の部分がアルミニウム枠１３で覆われて補強された構成であって、下端面に、後述のスタンド基台１の上面に直接に当接される左右一対のゴム製の当接座１４が、所定間隔をおいて一体に設けられている。ミラー本体Ｍ0 の上下の各辺の部分では、アルミニウム枠１３の上面に鏡面フィルム１２が配置され、左右の各辺の部分では、鏡面フィルム１２の左右の各端縁部の上面にアルミニウム枠１３が配置されている。
【００２６】
ミラー本体Ｍ0 は、〔縦長（Ｌ11）×幅（Ｌ12）×板厚（Ｌ13）〕＝（１８０×３０×２０）ｍｍの各寸法を有し、その体積（Ｖｍ）は、（１．８×０．３６×０．０２）ｍ3 ≒０．０１３ｍ3 となる。一方、ミラー本体Ｍ0 の重量は、１．８４ｋｇであるので、その比重は、約０．１４となる。
【００２７】
次に、図１〜図４及び図６〜図８を参照して、ミラースタンドＳについて説明する。ミラースタンドＳは、比重７．８の鉄製であって、前記ミラー本体Ｍ0 の幅（Ｌ12）に対応する長さ（Ｌ1 ）を有する横断面が方形状をした中実構造のスタンド基台１を備え、当該スタンド基台１の長手方向の両端部の上面に、前記ミラー本体Ｍ0 を挿入して支持するための横断面がコの字形の一対の嵌着支持体２が起立姿勢で、開口側を対向させて一体に固着されている。スタンド基台１の上面は、ミラー本体Ｍ0 の下端面に取付けられた当接座１４が当接する当接支持面１ａとなっている。スタンド基台１と一対の嵌着支持体２の固着は、各嵌着支持体２の下端部の内側をスタンド基台１の上面に溶接することで実現されている。当該溶接部Ａ1 （図７及び図８参照）は、横断面がコの字形の嵌着支持体２の内側であって、しかも一対の嵌着支持体２は、ミラー本体Ｍ0 の下端部に挿入・嵌着されるため、姿見ミラーＭの使用状態において、当該溶接部Ａ1 が視認されないので、溶接部Ａ1 の存在により、ミラースタンドＳの外観が害されることはない。なお、スタンド基台１の長手方向の両端部に起立姿勢で一体に固着された一対の嵌着支持体２の間に、ミラー本体Ｍ0 が挿入・嵌着される構造であるため、スタンド基台１の長さ（Ｌ1 ）は、ミラー本体Ｍ0 の幅（Ｌ12）よりも僅かに長くなっているが、使用状態では、この僅かな長さの差は、殆ど認識されず、姿見ミラーＭの正面視において、ミラー本体Ｍ0 とスタンド基台１とは、寸法的にほぼ一体となって上下方向に連続しているように認識（視認）され、この点も、本発明の特徴の一つである。
【００２８】
ミラースタンドＳの全体をミラー本体Ｍ0 に比較して、著しく比重の大きな鉄で製作し、しかも当該ミラースタンドＳを構成するスタンド基台１を中実構造にしたのは、自立構造の姿見ミラーＭの重心を可能な限り低い位置に配置して、当該姿見ミラーＭの自立の安定性を高めることにある。そして、図１及び図４に示されるように、スタンド基台１の幅（Ｌ3 ）は、ミラー本体Ｍ0 の幅（Ｌ12）よりも、僅かに広くなっているのみで、姿見ミラーＭの正面視のみならず、側面視においても、ミラー本体Ｍ0 とスタンド基台１とは、寸法的にほぼ一体となって上下方向に連続させることで、ミラー本体Ｍ0 とスタンド基台１との上下方向に沿った寸法差をなくして、両者Ｍ0 ，１の連続一体性を高めるように寸法設計されている。
【００２９】
そこで、姿見ミラーＭの自立の安定性を高めるために、スタンド基台１の下面に鉄製の安定支持板３が溶接により一体に固着されている。安定支持板３の長さ（Ｌ1 ）は、スタンド基台１の長さ（Ｌ1 ）と同一であり、その幅（Ｌ4 ）は、スタンド基台１の幅（Ｌ3 ）のほぼ４倍であって、姿見ミラーＭの高さ（１．８６ｍ）を考慮すると、狭い寸法である。しかし、スタンド基台１を主体にして、左右一対の嵌着支持体２及び安定支持板３の総重量により、姿見ミラーＭの重心位置（Ｇｍ）をミラースタンドＳの配置位置に近い位置まで下げているので、安定支持板３の幅（Ｌ4 ）は、それ程広くしなくても、姿見ミラーＭの自立の安定性が図られる。また、安定支持板３の板厚（Ｌ5 ）は、３ｍｍ程度と薄く、しかも姿見ミラーＭの設置状態では、当該安定支持板３は、平面状の設置面に全面密着するため、その存在は、殆ど認識（視認）されず、この点も、姿見ミラーＭの下端部のミラースタンドＳの部分の美感の向上に寄与している。
【００３０】
また、スタンド基台１と安定支持板３とは、当該スタンド基台１の裏面の複数箇所において溶接部Ａ2 を介して固着されている。即ち、安定支持板３には、その長手方向に沿って複数の溶接固着孔３ａが明けられていて、当該各溶接固着孔３ａの部分において、スタンド基台１と安定支持板３とを溶着している。なお、安定支持板３の裏面を含めて、ミラースタンドＳの全面は、化粧塗装されているため、スタンド基台１と各嵌着支持体２との接続部、及び安定支持板３の裏面の溶接部Ａ2 は、視認されないようにしてある。なお、図９において４は、化粧塗膜を示す。
【００３１】
なお、図２に示されるミラースタンドＳの各部の寸法Ｌ1 〜Ｌ8 （単位：ｍｍ）は、以下の通りである。なお、嵌着支持体２の転回幅及び板厚は、それぞれ６５ｍｍ，１．５ｍｍである。
Ｌ1 ＝３７０
Ｌ2 ＝  ５０
Ｌ3 ＝  ２５
Ｌ4 ＝１０５
Ｌ5 ＝  ２０
Ｌ6 ＝３００
Ｌ7 ＝  ２０
Ｌ8 ＝  ４０
【００３２】
次に、図１０を参照して、姿見ミラーＭの重心（Ｇｍ）を求める。ミラー本体Ｍ0 の重心（Ｇm0) は、その縦方向（長手方向）の中心に存在することは明白であり、ミラースタンドＳの重心（Ｇｓ）は、計算の結果、安定支持板３の裏面から約３３ｍｍの位置に存在する。即ち、スタンド基台１の重心に対して、嵌着支持体２の側に１０ｍｍずれている。なお、ミラー本体Ｍ0 及びミラースタンドＳの重量（ｋｇ）は、それぞれ１．８４，５．０２である。
そして、ミラースタンドＳの重心（Ｇｓ）と姿見ミラーＭの重心（Ｇｍ）との間の距離をＹ（ｍｍ）とすると、力の釣り合いにより、以下の式が成立する。
５．０２×Ｙ＝（９２７−Ｙ）×１．８４
これを解くと、（Ｙ≒２４９）となり、姿見ミラーＭの重心（Ｇｍ）は、ミラースタンドＳを構成する嵌着支持体２の上端からスタンド基台１の側に、約５０ｍｍだけ下がった位置に存在し、姿見ミラーＭの全体の重心Ｇｍを低い位置に配置可能となって、姿見ミラーＭとしての自立安定性が確保される。また、ミラー本体Ｍ0 に比較してミラースタンドＳの重量を大きくすることで、安定支持板３の幅（Ｌ4 ）を狭くできて、姿見ミラーＭの設置占有面積を小さくできる。
【００３３】
よって、図４に示されるように、床面Ｆに設置された姿見ミラーＭは、臨界傾斜角度θ（約１５°）以上傾斜することで、転倒することになるので、人の通過により軽く接触した程度では、転倒しない。安定支持板３の長さ（Ｌ1 ）を一定にしたままで、スタンド基台１の高さ（Ｌ2 ）を高くすることで、前記臨界傾斜角度θを更に大きくできる。なお、姿見ミラーＭは、人の接触等により、仮に転倒したとしても、鏡面フィルム１２を使用しているため、ミラー本体Ｍ0 の破損、或いは人体の損傷は、発生しないので、安全である。
【００３４】
また、スタンド基台１正面視における長さ（Ｌ1 ）及び側面視における幅（Ｌ3 ）は、それぞれミラー本体Ｍ0 の幅（Ｌ12）及び板厚（Ｌ13）よりも僅かに大きいのみであるため、ミラースタンドＳとミラー本体Ｍ0 の基端部との連続一体性が高められ、しかもスタンド基台１の長さ（Ｌ1 ）と同一の長さを有する安定支持板３の幅（Ｌ4 ）は、比較的狭くて、安定支持板３の前後方向への突出長は、極めて短い状態で、姿見ミラーＭは、自立しているため、当該自立自体の面白さと、意匠的にすっきりした高い「おしゃれ感」がある。このため、優雅が雰囲気が必要な結婚式場、高級邸宅等における使用には、最適である。
【００３５】
また、姿見ミラーＭは、ミラー本体Ｍ0 が床面Ｆに対して垂直となって自立しているため、人の全身又はその一部が縮小・拡大されることなく、全身をそのままの状態で写し出すことができるので、姿見ミラーとしての信頼性が高い。
【００３６】
なお、ミラースタンドＳの材質としては、鉄よりも比重の大きな金属である銅（比重：８．９）、鉛（比重：１１．４）を用いることも可能であり、比重が５以上であれば、非金属を用いることも可能である。
【符号の説明】
【００３７】
Ｇｍ：姿見ミラーの重心
Ｇm0  ミラー本体の重心
Ｇs ：ミラースタンドの重心
Ｋ：壁面
Ｍ：姿見ミラー
Ｍ0 ：ミラー本体
Ｓ：ミラースタンド
Ｗｍ0 ：ミラー本体の重量
Ｗｓ：ミラースタンドの重量
１：スタンド基台
２：嵌着支持体
３：安定支持板
３ａ：溶接固着孔
４：化粧塗膜
１１：ボード
１２：鏡面フィルム
【図１】
2020089619.tif 000003
【図２】
2020089619.tif 000004
【図３】
2020089619.tif 000005
【図４】
2020089619.tif 000006
【図５】
2020089619.tif 000007
【図６】
2020089619.tif 000008
【図７】
2020089619.tif 000009
【図８】
2020089619.tif 000010
【図９】
2020089619.tif 000011
【図１０】
2020089619.tif 000012